(57)【要約】【課題】多少不陸な場所にも設置可能であり、組み立て分解、資材の運搬が容易であり、安全確実かつ容易に鹿を捕獲することができる比較的小規模で安価な鹿の捕獲装置を提供する。【解決手段】パイプ２が連結されて多角形に形成された上部枠体３と、上部枠体３と対応する同形状に形成された下部枠体４と、上部枠体３を下部枠体４から上方に所定間隔離間させて支持する複数の縦パイプ５と、上部枠体３の一つのパイプ２に取り付けられ、開閉自在の扉部材６と、扉部材６を取り付けたパイプ２を除く上部枠体３に吊下され、上部枠体３から下部枠体４を所定長さ超えて下方に張設される囲い網７と、囲い網７内への鹿の侵入を検知する鹿検知装置８と、鹿検知装置８の検知作動が伝達されると、扉部材６を閉じさせる扉部材開閉装置９と、囲い網絞りワイヤー１０を巻き上げることにより、囲い網７の下端部を絞り込むウインチ１１とを備えた鹿の捕獲装置１を提供する。【選択図】図１
2010207212.tif 000002
【特許請求の範囲】
【請求項１】
パイプが連結されて多角形に形成された上部枠体と、
パイプが連結されて多角形に形成され、前記上部枠体と対応する同形状に形成された下部枠体と、
前記上部枠体と前記下部枠体の各パイプ連結部に両端が夫々連結され、前記上部枠体を前記下部枠体から上方に所定間隔離間させて支持する複数の縦パイプと、
前記上部枠体の一つのパイプに取り付けられ、開閉自在の扉部材と、
前記扉部材を取り付けたパイプを除く前記上部枠体のパイプに吊下され、前記上部枠体から前記下部枠体を所定長さ超えて下方に張設される囲い網と、
前記囲い網内への鹿の侵入を検知する鹿検知装置と、
前記鹿検知装置の検知作動が伝達されると、前記扉部材を閉じさせる扉部材開閉装置と、
張設された前記囲い網の下端部全長に及ぶ網目を縫う如く貫通させた囲い網絞りワイヤーを巻き上げることにより、前記囲い網の下端部を絞り込むウインチとを備えたことを特徴とする鹿の捕獲装置。
【請求項２】
前記囲い網は、予め前記囲い網上端全長に及ぶ網目を縫う如くロープが貫通され、前記ロープは複数のフックを介して前記上部枠体に吊下されることを特徴とする請求項１記載の鹿の捕獲装置。
【請求項３】
前記囲い網は、前記上部枠体に吊下された後、下端部一側端から他側端に及んで網目を縫う如く囲い網絞りワイヤーが貫通され、更に、前記下端部両側端から抜け出た前記囲い網絞りワイヤーは、同じリングを貫通された後、先端部が一方又は他方の前記ウインチに夫々巻回されることを特徴とする請求項１又は２記載の鹿の捕獲装置。
【請求項４】
前記囲い網は、前記上部枠体に吊下された後、下端部一側端から他側端に及んで網目を縫う如く囲い網絞りワイヤーが貫通され、更に、前記下端部一側端から抜け出た前記囲い網絞りワイヤーは、前記下端部他側端から前記下端部の所定数の網目を縫う如く一方の前記ウインチに近づく位置まで貫通された後、網目から抜け出た先端部が一方の前記ウインチに巻回され、前記下端部他側端から抜け出た前記囲い網絞りワイヤーは、前記下端部一側端から前記下端部の所定数の網目を縫う如く他方の前記ウインチに近づく位置まで貫通された後、網目から抜け出た先端部が他方の前記ウインチに巻回されることを特徴とする請求項１又は２記載の鹿の捕獲装置。
【請求項５】
前記扉部材は、上端部が、前記上部枠体の一つのパイプに吊下され、両側端部が、該パイプの両端近傍に配設される扉用縦パイプにスライドリングを介してスライド自在に取り付けられる扉用網体と、
前記扉用網体の下端部に取り付けられ、両端が前記縦パイプにスライド自在に取り付けられる下降パイプと、
前記下降パイプを吊下する吊りロープと、
前記吊りロープを吊り下げる吊りリングとを備えることを特徴とする請求項１乃至４のうちいずれか一に記載の鹿の捕獲装置。
【請求項６】
前記鹿検知装置は、前記縦パイプに固定される固定部材と、
前記固定部材に回転自在に取り付けられ、後端に紐の後端部を固定する紐固定部を備えた回転部材と、
前記回転部材の先端に基端部が着脱自在に取り付けられ、先端部が複数の枝状に広がる検知棒とを備えたことを特徴とする請求項１乃至５のうちいずれか一に記載の鹿の捕獲装置。
【請求項７】
前記扉部材開閉装置は、前記扉部材を吊下するパイプに下端部が固定され、先端部に、吊りリング固定アームを揺動自在に取り付けると共に、その揺動を案内するガイドが固着されたパイプ固定部と、
前記パイプ固定部に両端が固定され、中央部が前記パイプ固定部から離間し、前記中央部にスライドパイプをスライドさせるガイドロッドと、
前記紐の先端部が結着され、前記ガイドロッドをスライドする前記スライドパイプと、
基端部が前記ガイドに揺動自在に取り付けられ、先端部が前記スライドパイプ内に嵌挿自在の折曲した前記吊りリング固定アームとを備え、
前記吊りリング内に前記吊りリング固定アームを貫通させ、前記吊りリング固定アームの先端部を前記スライドパイプ内に嵌挿させて、前記扉部材を開放状態に吊下した状態で、前記紐が引かれて前記スライドパイプがスライドし、前記吊りリング固定アームの先端部が前記スライドパイプの嵌挿状態から開放されると、前記吊りリング固定アームは、前記扉部材にかかる重さによって前記ガイドに案内されて揺動し、前記吊りリングを貫通状態から離脱させ、前記扉部材を閉じさせるように構成されたことを特徴とする請求項４乃至６のうちいずれか一に記載の鹿の捕獲装置。
【請求項８】
請求項６又は７に記載の鹿の捕獲装置の使用方法であって、
前記上部枠体と、下部枠体と、縦パイプとを組み立て、パイプ枠組立体とし、前記扉部材を開放状態に吊下し、前記鹿検知装置を前記縦パイプに固定し、前記扉部材開閉装置を前記扉部材を吊下するパイプに固定し、前記ウインチを対向する２本の前記縦パイプに夫々固設し、前記鹿検知装置に前記検知棒を取り付けず、前記囲い網を吊下せず、前記パイプ枠組立体近傍に前記囲い網を放置し、前記パイプ枠組立体内に鹿の餌を置いた状態で現場に所定期間保存し、組み立て未完成の捕獲装置に鹿を馴致させる第１行程と、
前記上部枠体に前記囲い網を吊下し、前記囲い網の下端部の網目に前記囲い網絞りワイヤーを縫うように貫通させた後、両端を前記ウインチに夫々巻回させ、前記鹿検知装置に前記検知棒の先端部が前記囲い網内に配置されるように取り付け、前記パイプ枠組立体内に新しい鹿の餌を置き、鹿の侵入を待つ第２行程と、
前記囲い網内に鹿が侵入し、鹿が前記検知棒に触れると、前記鹿検知装置が作動し、前記紐が引かれて前記スライドパイプがスライドし、前記吊りリング固定アームの先端部が前記スライドパイプの嵌挿状態から開放され、前記吊りリング固定アームは、前記扉部材にかかる重さによって前記ガイドに案内されて揺動し、前記吊りリングを貫通状態から離脱させ、前記扉部材を閉じさせる第３行程と、
２つの前記ウインチにより、前記囲い網絞りワイヤーを巻き上げて前記囲い網の下端部を絞り込み、前記囲い網の網目から鹿の足を突き出させ、鹿の腹部に前記囲い網の網目を当接させて鹿を拘束すると共に、鹿を持上げる第４の工程と、
前記鹿の頭に袋を被せ、鹿を前記囲い網内から取り出す第５の工程とを実行することを特徴とする鹿の捕獲装置の使用方法。
【発明の詳細な説明】
【技術分野】
【０００１】
本発明は、比較的小規模で、組み立て分解及び運搬が容易であり、不陸の場所に設置できる、構造簡単、且つ、低価格の鹿の捕獲装置とその使用方法に関する。
【背景技術】
【０００２】
此種の鹿の捕獲装置を製作する場合、例えば、野生の鹿は柵が狭いと警戒して入ってこない、又、野生の鹿は前方に視界を遮る壁があると警戒して柵に入ってこない、等の傾向があることから、出入り口を多くしたり、捕獲装置の柵そのものを大きくする必要がある。
そこで、此種従来の鹿の捕獲装置として、例えば、公知のコンパネを壁状に連接して、平面視、一辺が約１００ｍ程度の多角形の柵を作り、鹿の出入り口を６箇所程度設け、この出入り口には開閉自在の扉を設けたものがある。
【０００３】
前記鹿の捕獲装置は、例えば、次のように使用される。
（１）全部の扉を開き、柵の内部に餌を置き鹿の侵入を待つ。
（２）鹿が侵入し餌を食していることが確認されたら、タイミングを見て人手によって殆ど同時に全部の出入り口の扉を閉める。
（３）鹿を柵内で追い詰め捕まえる。
【０００４】
此種技術の先行文献として、例えば、特許文献１があり、特許文献１には、侵入防止柵の何箇所かに追い込みパドックが設けられ、防止柵本体づたいに鹿を誘導し、このパドックにエゾ鹿を追い込み捕獲すると共に、箱型の金網枠内に移動させ閉じ込めることができる、野生動物による食害防止およびその動物の捕獲装置が記載されている。
【先行技術文献】
【特許文献】
【０００５】
【特許文献１】特開平１０−４８５４号公報
【発明の概要】
【発明が解決しようとする課題】
【０００６】
前記従来の鹿の捕獲装置は、大掛かりな装置となるため、コストがかかるうえ、組み立て分解、資材の運搬に手間がかかり、かつ設置する箇所の地面がある程度平坦であることが要求され、更に、柵の移転が不可能に近く、各扉に熟練した作業員が張り付く必要がある等の問題点がある。
又、鹿を柵内で追い詰め捕まえる際に、対象が野生の鹿なので、鹿が柵内部を逃げ回ったり、作業員に向かってくることもあり、作業員や、鹿が怪我をする虞がある等の問題がある。
尚、特許文献１は前述した問題点を解決するものではない。
【０００７】
以上の現状に鑑み、本発明は、多少不陸な場所にも設置可能であり、組み立て分解、資材の運搬が容易であり、安全確実かつ容易に鹿を捕獲することができると共に、比較的小規模で安価な鹿の捕獲装置とその使用方法を提供することを目的とする。
【課題を解決するための手段】
【０００８】
上記の課題を解決すべく、本発明は以下の構成を提供する。
請求項１に係る発明は、パイプが連結されて多角形に形成された上部枠体と、
パイプが連結されて多角形に形成され、前記上部枠体と対応する同形状に形成された下部枠体と、
前記上部枠体と前記下部枠体の各パイプ連結部に両端が夫々連結され、前記上部枠体を前記下部枠体から上方に所定間隔離間させて支持する複数の縦パイプと、
前記上部枠体の一つのパイプに取り付けられ、開閉自在の扉部材と、
前記扉部材を取り付けたパイプを除く前記上部枠体のパイプに吊下され、前記上部枠体から前記下部枠体を所定長さ超えて下方に張設される囲い網と、
前記囲い網内への鹿の侵入を検知する鹿検知装置と、
前記鹿検知装置の検知作動が伝達されると、前記扉部材を閉じさせる扉部材開閉装置と、
張設された前記囲い網の下端部全長に及ぶ網目を縫う如く貫通させた囲い網絞りワイヤーを巻き上げることにより、前記囲い網の下端部を絞り込むウインチとを備えたことを特徴とする鹿の捕獲装置を提供するものである。
【０００９】
請求項２に係る発明は、前記囲い網は、予め前記囲い網上端全長に及ぶ網目を縫う如くロープが貫通され、前記ロープは複数のフックを介して前記上部枠体に吊下されることを特徴とする請求項１記載の鹿の捕獲装置を提供するものである。
【００１０】
請求項３に係る発明は、前記囲い網は、前記上部枠体に吊下された後、下端部一側端から他側端に及んで網目を縫う如く囲い網絞りワイヤーが貫通され、更に、前記下端部両側端から抜け出た前記囲い網絞りワイヤーは、同じリングを貫通された後、先端部が一方又は他方の前記ウインチに夫々巻回されることを特徴とする請求項１又は２記載の鹿の捕獲装置を提供するものである。
【００１１】
請求項４に係る発明は、前記囲い網は、前記上部枠体に吊下された後、下端部一側端から他側端に及んで網目を縫う如く囲い網絞りワイヤーが貫通され、更に、前記下端部一側端から抜け出た前記囲い網絞りワイヤーは、前記下端部他側端から前記下端部の所定数の網目を縫う如く一方の前記ウインチに近づく位置まで貫通された後、網目から抜け出た先端部が一方の前記ウインチに巻回され、前記下端部他側端から抜け出た前記囲い網絞りワイヤーは、前記下端部一側端から前記下端部の所定数の網目を縫う如く他方の前記ウインチに近づく位置まで貫通された後、網目から抜け出た先端部が他方の前記ウインチに巻回されることを特徴とする請求項１又は２記載の鹿の捕獲装置を提供するものである。
【００１２】
請求項５に係る発明は、前記扉部材は、上端部が、前記上部枠体の一つのパイプに吊下され、両側端部が、該パイプの両端近傍に配設される扉用縦パイプにスライドリングを介してスライド自在に取り付けられる扉用網体と、
前記扉用網体の下端部に取り付けられ、両端が前記縦パイプにスライド自在に取り付けられる下降パイプと、
前記下降パイプを吊下する吊りロープと、
前記吊りロープを吊り下げる吊りリングとを備えることを特徴とする請求項１乃至４のうちいずれか一に記載の鹿の捕獲装置を提供するものである。
【００１３】
請求項６に係る発明は、前記鹿検知装置は、前記縦パイプに固定される固定部材と、
前記固定部材に回転自在に取り付けられ、後端に紐の後端部を固定する紐固定部を備えた回転部材と、
前記回転部材の先端に基端部が着脱自在に取り付けられ、先端部が複数の枝状に広がる検知棒とを備えたことを特徴とする請求項１乃至５のうちいずれか一に記載の鹿の捕獲装置を提供するものである。
【００１４】
請求項７に係る発明は、前記扉部材開閉装置は、前記扉部材を吊下するパイプに下端部が固定され、先端部に、吊りリング固定アームを揺動自在に取り付けると共に、その揺動を案内するガイドが固着されたパイプ固定部と、
前記パイプ固定部に両端が固定され、中央部が前記パイプ固定部から離間し、前記中央部にスライドパイプをスライドさせるガイドロッドと、
前記紐の先端部が結着され、前記ガイドロッドをスライドする前記スライドパイプと、
基端部が前記ガイドに揺動自在に取り付けられ、先端部が前記スライドパイプ内に嵌挿自在の折曲した前記吊りリング固定アームとを備え、
前記吊りリング内に前記吊りリング固定アームを貫通させ、前記吊りリング固定アームの先端部を前記スライドパイプ内に嵌挿させて、前記扉部材を開放状態に吊下した状態で、前記紐が引かれて前記スライドパイプがスライドし、前記吊りリング固定アームの先端部が前記スライドパイプの嵌挿状態から開放されると、前記吊りリング固定アームは、前記扉部材にかかる重さによって前記ガイドに案内されて揺動し、前記吊りリングを貫通状態から離脱させ、前記扉部材を閉じさせるように構成されたことを特徴とする請求項４乃至６のうちいずれか一に記載の鹿の捕獲装置を提供するものである。
【００１５】
請求項８に係る発明は、請求項６又は７に記載の鹿の捕獲装置の使用方法であって、
前記上部枠体と、下部枠体と、縦パイプとを組み立て、パイプ枠組立体とし、前記扉部材を開放状態に吊下し、前記鹿検知装置を前記縦パイプに固定し、前記扉部材開閉装置を前記扉部材を吊下するパイプに固定し、前記ウインチを対向する２本の前記縦パイプに夫々固設し、前記鹿検知装置に前記検知棒を取り付けず、前記囲い網を吊下せず、前記パイプ枠組立体近傍に前記囲い網を放置し、前記パイプ枠組立体内に鹿の餌を置いた状態で現場に所定期間保存し、組み立て未完成の捕獲装置に鹿を馴致させる第１行程と、
前記上部枠体に前記囲い網を吊下し、前記囲い網の下端部の網目に前記囲い網絞りワイヤーを縫うように貫通させた後、両端を前記ウインチに夫々巻回させ、前記鹿検知装置に前記検知棒の先端部が前記囲い網内に配置されるように取り付け、前記パイプ枠組立体内に新しい鹿の餌を置き、鹿の侵入を待つ第２行程と、
前記囲い網内に鹿が侵入し、鹿が前記検知棒に触れると、前記鹿検知装置が作動し、前記紐が引かれて前記スライドパイプがスライドし、前記吊りリング固定アームの先端部が前記スライドパイプの嵌挿状態から開放され、前記吊りリング固定アームは、前記扉部材にかかる重さによって前記ガイドに案内されて揺動し、前記吊りリングを貫通状態から離脱させ、前記扉部材を閉じさせる第３行程と、
２つの前記ウインチにより、前記囲い網絞りワイヤーを巻き上げて前記囲い網の下端部を絞り込み、前記囲い網の網目から鹿の足を突き出させ、鹿の腹部に前記囲い網の網目を当接させて鹿を拘束すると共に、鹿を持上げる第４の工程と、
前記鹿の頭に袋を被せ、鹿を前記囲い網内から取り出す第５の工程とを実行することを特徴とする鹿の捕獲装置の使用方法を提供するものである。
【発明の効果】
【００１６】
本発明によれば、次のような効果が期待できる。
（１）設置を所望する箇所の地面が多少不陸の状態であっても設置が可能である。即ち、餌を置く中心部が平坦であれば、それ以外の箇所に凹凸や水路があっても設置できる。
（２）鹿を安全確実かつ容易に捕獲することができる。
（３）作業員が誤って柵内に入っても囲い網の下端を押し上げ簡単に脱出できる。
（４）鹿検知装置と吊りリング開放装置の設置場所が対向する位置に離れているので、誤って鹿検知装置に触れて重い下降パイプが落下するようにことがあっても作業員に触れることなく安全である。
（５）作業を少人数の作業員で安全に行うことができる。
（６）構造が簡単でしかも比較的小規模なので、組み立て分解や資材の運搬が容易で、低価格で得ることができ、しかも所望する箇所に設置できる。
【図面の簡単な説明】
【００１７】
【図１】本発明に係る鹿の捕獲装置の斜視図である。
【図２】本発明に係る鹿の捕獲装置の平面図である。
【図３】本発明に係る扉部材と、扉部材開閉装置と、鹿検知装置との関連を示す斜視図である。
【図４】本発明に係る囲い網にロープ及び網絞りワイヤーを通し、リングに網絞りワイヤーを通した状態を示す正面図である。
【図５】本発明に係る囲い網の網目に囲い網絞りワイヤーを縫うように貫通させた状態を示す一部正面図である。
【図６】本発明に係る囲い網を絞り込んだ状態を示す平面図である。
【図７】本発明に係る囲い網を絞り込んだ状態を示す側面図である。
【図８】（ａ）本発明に係る上部枠体の大きさを示す平面図である。（ｂ）本発明に係る縦パイプ及び囲い網の寸法を示す側面図である。
【図９】（ａ）本発明に係る扉部材開閉装置の側面図である。（ｂ）本発明に係る扉部材開閉装置の正面図である。
【図１０】本発明に係る鹿の捕獲装置の使用方法の第１行程を示す斜視図である。
【図１１】本発明に係る鹿の捕獲装置の使用方法の第４行程を示す斜視図である。
【図１２】本発明の変形例に係る鹿の捕獲装置の斜視図である。
【図１３】本発明の変形例に係る鹿の捕獲装置の平面図である。
【図１４】本発明の変形例に係る鹿の捕獲装置の囲い網にロープ及び網絞りワイヤーを通した状態を示す正面図である。
【発明を実施するための形態】
【００１８】
以下、実施例を示した図面を参照しつつ本発明の実施の形態を説明する。
図１及び図２に於いて、１は、本発明による鹿の捕獲装置を示し、鹿の捕獲装置１は、パイプ２が連結されて多角形に形成された上部枠体３と、パイプ２が連結されて多角形に形成され、上部枠体３と対応する同形状に形成された下部枠体４と、上部枠体３と下部枠体４の各パイプ２連結部に両端が夫々連結され、上部枠体３を下部枠体４から上方に所定間隔離間させて支持する複数の縦パイプ５と、上部枠体３の一つのパイプ２に取り付けられ、開閉自在の扉部材６と、扉部材６を取り付けたパイプ２を除く上部枠体３のパイプ２に吊下され、上部枠体３から下部枠体４までの長さを所定長さ超えて下方に張設される囲い網７と、囲い網７内への鹿の侵入を検知する鹿検知装置８と、鹿検知装置８の検知作動が伝達されると、扉部材６を閉じさせる扉部材開閉装置９と、張設された囲い網７の下端部全長に及ぶ網目を縫う如く貫通させた囲い網絞りワイヤー１０を巻き上げることにより、囲い網７の下端部を絞り込むウインチ１１とを備えたものである。
【００１９】
前記扉部材６は、図１及び図３に示す如く、上端部が、上部枠体３の一つのパイプ２にリング２１を介して吊下され、両側端部が、該パイプ２の両端近傍に配設される扉用縦パイプ２２にスライドリング２３を介してスライド自在に取り付けられる扉用網体２４と、扉用網体２４の下端部にリング２５を介し吊下され、両端が扉用縦パイプ２２にスライド自在に取り付けられる下降パイプ２６と、下降パイプ２６を吊下する吊りロープ２７と、吊りロープ２７を吊り下げる吊りリング２８とを備えている。
【００２０】
前記囲い網７は、図１、図２及び図４に示す如く、予め囲い網７上端全長に及ぶ網目を縫う如くロープ３１が貫通し、囲い網７に固定され、ロープ３１は複数のフック３２を介して上部枠体３に吊下される。
前記囲い網７の網目は、鹿の頭部が貫通できない寸法であると共に鹿の足が貫通する寸法で、且つ、小動物が通過して脱出できる寸法であることが必要であり、網目の寸法は１０ｃｍ程度に形成される。
囲い網の網目が１０ｃｍ程度の小動物が脱出可能の大きさに形成されるので、禁猟の鹿以外の小動物が仮に柵内に入り込み捕獲状態になっても、容易に脱出させることができ、鹿のみを確実に捕獲できる。
なお、網目の寸法は１０ｃｍが好適であり、１０ｃｍ程度に形成したが、使用状態によっては多少の変動があることは当然である。
【００２１】
そして、前記囲い網７は、上部枠体３に吊下された後、図４及び図５に示す如く、下端部一側端から他側端に及んで網目を縫う如く囲い網絞りワイヤー１０が貫通され、更に、下端部両側端から抜け出た囲い網絞りワイヤー１０は、同じ一つのリング３３を貫通された後、図１に示す如く、先端部が一方又は他方のウインチ１１に夫々巻回される。
２つのウインチ１１により、囲い網絞りワイヤー１０を巻き上げて図６及び図７に示す如く、囲い網７の下端部を絞り込むことができる。
前記リング３３を用いることにより、囲い網絞りワイヤー１０の取り付けが容易となり、又、囲い網絞りワイヤー１０の巻き上げも円滑になる。
【００２２】
図８（ａ）は、前記上部枠体３の平面図を示したものであり、例えば、直径Ｄが約１０ｍの円が丁度収まる６角形状に形成される。前記下部枠体４も同形状に形成される。
図８（ｂ）は、前記縦パイプ５と、囲い網７の正面図を示したものであり、囲い網７は、上部枠体３に吊下され、上部枠体３と下部枠体４との長さを所定長さ超えて張設されるが、囲い網７の吊下される高さＨは例えば４ｍ、上部枠体３と下部枠体４との長さを超えて地面上に張設される囲い網７の長さＬ１は例えば３ｍである。
【００２３】
前記鹿検知装置８は、前記図３に示す如く、縦パイプ５に固定される固定部材４１と、固定部材４１に回転自在に取り付けられ、後端に紐４２の基端部を固定する紐固定部４３を備えた回転部材４４と、回転部材４４の先端に基端部が着脱自在に取り付けられ、先端部が複数の枝状に広がる検知棒４５とを備えたものである。鹿検知棒４５は鹿が囲い網７近くを回る習性を利用して、鹿が触れ易いように、先端部が囲い網７内で枝状に広がるように設置する。
【００２４】
前記扉部材開閉装置９は、図３及び図９に示す如く、扉部材６を吊下するパイプ２に下端部が固定され、先端部に、吊りリング固定アーム５１が揺動自在に取り付けられると共に、その揺動を案内するガイド５２が固着されたパイプ固定部５３と、パイプ固定部５３に両端が固定され、中央部がパイプ固定部５３から離間するガイドロッド５４と、ガイドロッド５４の中央部をスライド自在で、紐４２の先端部が結着されたスライドパイプ５５とを備え、前記吊りリング固定アーム５１は、折曲状に形成され、基端部にリング状部が形成されて、そのリング状部がガイド５２に形成されたリング状部に貫通されて取り付けられ、先端部がスライドパイプ５５内に嵌挿自在に構成されている。
【００２５】
そして、前記扉部材開閉装置９は、吊りリング２８内に吊りリング固定アーム５１を貫通させ、吊りリング固定アーム５１の先端部をスライドパイプ５５内に嵌挿させて、扉部材６を開放状態に吊下した状態で、紐４２が引かれてスライドパイプ５５がスライドし、吊りリング固定アーム５１の先端部がスライドパイプ５５の嵌挿状態から開放されると、吊りリング固定アーム５１は、吊りリング２８にかかる扉部材６の重さによってガイド５２に案内されて揺動し、吊りリング２８を貫通状態から離脱させ、扉部材６を閉じさせるように構成されている。
【００２６】
次に、前記鹿の捕獲装置１の使用方法について、各工程に分けて説明する。
＜第１行程＞
図１０に示す如く、上部枠体３と、下部枠体４と、縦パイプ５とを組み立ててパイプ枠組立体６１とし、扉部材６を開放状態に吊下し、鹿検知装置８を縦パイプ５に固定し、扉部材開閉装置９を扉部材６を吊下するパイプ２に固定し、ウインチ１１を対向する２本の縦パイプ５に夫々固設する。
この時、鹿検知装置８に検知棒４５を取り付けず、又、上部枠体３に囲い網７を吊下しない状態で、パイプ枠組立体６１近傍に囲い網７を放置し、パイプ枠組立体６１内に鹿の餌６２を置き、そのままの状態で現場に所定期間（例えば、数日間）保存し、前述の組み立て未完成の捕獲装置１に鹿を馴れさせる。
【００２７】
＜第２行程＞
所定期間が経過したら、図１に示す如く、上部枠体３に囲い網７を吊下し、囲い網７の下端部の網目に囲い網絞りワイヤー１０を縫うように貫通させた後、両端を夫々一つのリング３３に通した後、囲い網絞りワイヤー１０の両端をウインチ１１に夫々巻回させ、鹿検知装置８に検知棒４５の先端部が囲い網７内に配置されるように取り付け、パイプ枠組立体６１内に新しい鹿の餌６２を置き、その状態で鹿の侵入を待つ。
【００２８】
＜第３行程＞
囲い網７内に鹿が侵入し、鹿が検知棒４５に触れると、図３に示す鹿検知装置８が作動し、紐４２が引かれてスライドパイプ５５がスライドし、吊りリング固定アーム５１の先端部がスライドパイプ５５の嵌挿状態から開放され、吊りリング固定アーム５１は、吊りリング２８にかかる扉部材６の重さによってガイド５２に案内されて揺動し、吊りリング２８を貫通状態から離脱させ、扉部材６を閉じさせる。
【００２９】
＜第４行程＞
次に、図１１に示す如く、２つのウインチ１１により、囲い網絞りワイヤー１０を巻き上げて、囲い網７の下端部を絞り込み、囲い網７の底辺を地上から浮かせることにより、囲い網７の網目から鹿６３の足６４を突き出させ、鹿６３の腹部６５に囲い網７の網目を当接させて鹿６３を拘束すると共に、鹿６３を持上げる。
【００３０】
＜第５行程＞
次に、図示は省略するが、鹿６３の頭に袋を被せ、鹿６３を囲い網内から取り出す。
【００３１】
図１２に於いて７１は、前記鹿の捕獲装置（図１に於いて１）の変形例の鹿の捕獲装置であり、鹿の捕獲装置７１は、前記鹿の捕獲装置（図１に於いて１）に於けるリング（図１に於いて３３）を用いないものである。
図１２、図１３及び図１４に示す如く、囲い網７は、上部枠体３に吊下された後、下端部一側端７ａから他側端７ｂに及んで網目を縫う如く囲い網絞りワイヤー１０が貫通され、更に、下端部他側端７ｂから抜け出た先端部の囲い網絞りワイヤー１０は、下端部一側端７ａから下端部の所定数の網目を縫う如く一方のウインチ１１（Ａ）に近づく位置までの所定長さＬ２（囲い網７の一側端７ａから一面分程度の長さ）を貫通した後、網目から抜け出た先端部が一方のウインチ１１（Ａ）に巻回され、一方、下端部一側端７ａの網目に貫通されない基端部側の囲い網絞りワイヤー１０は、下端部他側端７ｂから下端部の所定数の網目を縫う如く他方のウインチ１１（Ｂ）に近づく位置までの所定長さＬ３（囲い網７の他側端７ｂから一面分程度の長さ）を貫通された後、網目から抜け出た基端部が他方のウインチ１１（Ｂ）に巻回される。
鹿の捕獲装置７１は、囲い網絞りワイヤー１０を、囲い網７の一部（図１４に於けるＬ２及びＬ３の長さの部分）で二重巻きにすることになり、この取付が面倒であるという問題点があるが、取付けた後は、前記リング３３を用いた前記鹿の捕獲装置（図１に於いて１）と略同様に使用できる。
【符号の説明】
【００３２】
１，７１  鹿の捕獲装置
２  パイプ
３  上部枠体
４  下部枠体
５  縦パイプ
６  扉部材
７  囲い網
７ａ  一側端
７ｂ  他側端
８  鹿検知装置
９  扉部材開閉装置
１０  囲い網絞りワイヤー
１１  ウインチ
２２  扉用縦パイプ
２３  スライドリング
２４  扉用網体
２６  下降パイプ
２７  吊りロープ
２８  吊りリング
３３  リング
４１  固定部材
４２  紐
４３  紐固定部
４４  回転部材
４５  検知棒
５１  吊りリング固定アーム
５２  ガイド
５３  パイプ固定部
５４  ガイドロッド
５５  スライドパイプ
６１  パイプ枠組立体
６２  餌
６３  鹿
６４  足
６５  腹部
【図１】
2010207212.tif 000003
【図２】
2010207212.tif 000004
【図３】
2010207212.tif 000005
【図４】
2010207212.tif 000006
【図５】
2010207212.tif 000007
【図６】
2010207212.tif 000008
【図７】
2010207212.tif 000009
【図８】
2010207212.tif 000010
【図９】
2010207212.tif 000011
【図１０】
2010207212.tif 000012
【図１１】
2010207212.tif 000013
【図１２】
2010207212.tif 000014
【図１３】
2010207212.tif 000015
【図１４】
2010207212.tif 000016